(57)【要約】【課題】ユーザの手間が無く使用性のよい音声記憶装置の実現【解決手段】音声記憶装置は、例えばパーソナルコンピュータで利用されている予定管理ソフト（スケジューラ）と連動して、音声の録音に関する適切な動作を自動的に実行できるようにする。スケジュール情報を取り込むことによって、会議等のユーザの予定を判断できるようにし、予定の日時と現在日時を監視し、予定時刻（開始時刻、終了時刻）になるとアラーム鳴動等によってユーザに通知を行って必要な操作を促したり、或いは自動的に記録開始・停止したり、予定時間内に録音したファイルのファイル名をスケジュール情報内の文字等を用いて自動的に設定する処理などを行う。【選択図】図１０
2009266283.tif 000002
【特許請求の範囲】
【請求項１】
情報を記憶する記憶部と、
外部機器との間で情報通信を行う情報通信部と、
音声データを入力する音声入力部と、
現在日時を計数する時計部と、
日時データと予定内容データを有する予定項目情報を含むスケジュール情報を、上記情報通信部による外部機器との通信によって受信し、上記記憶部に記憶させる処理、及び上記記憶部に記憶されたスケジュール情報における日時データと上記時計部で計数される現在日時との関係に基づいて、上記音声入力部から入力される音声データについての上記記憶部への記憶動作に関する処理を行う制御部と、
を備えた音声記憶装置。
【請求項２】
上記制御部は、上記記憶動作に関する処理として、上記時計部で計数される現在日時が、上記スケジュール情報の日時データにおける開始時刻に達した時点で、上記音声入力部から入力される音声データについての上記記憶部への記憶動作を開始させる処理を行う請求項１に記載の音声記憶装置。
【請求項３】
上記制御部は、上記記憶動作に関する処理として、上記時計部で計数される現在日時が、上記スケジュール情報の日時データにおける終了時刻に達した時点で、上記音声入力部から入力される音声データについての上記記憶部への記憶動作を停止させる処理を行う請求項１に記載の音声記憶装置。
【請求項４】
上記制御部は、上記記憶動作に関する処理として、上記時計部で計数される現在日時が、上記スケジュール情報の日時データにおける開始時刻に達した時点もしくは開始時刻の所定時間前に達した時点で、音声データの記憶動作の開始時刻であることを使用者に通知する処理を行う請求項１に記載の音声記憶装置。
【請求項５】
上記制御部は、上記記憶動作に関する処理として、上記時計部で計数される現在日時が、上記スケジュール情報の日時データにおける終了時刻に達した時点もしくは終了時刻の所定時間前に達した時点で、音声データの記憶動作の終了時刻であることを使用者に通知する処理を行う請求項１に記載の音声記憶装置。
【請求項６】
上記制御部は、上記記憶動作に関する処理として、音声データの記憶動作によって生成される音声データファイルのファイル名を、上記スケジュール情報における予定内容データを用いて設定する請求項１に記載の音声記憶装置。
【請求項７】
上記制御部は、上記記憶動作に関する処理として、音声データの記憶動作の際の感度を、上記スケジュール情報に含まれる情報に基づいて設定する請求項１に記載の音声記憶装置。
【請求項８】
上記制御部は、さらに、上記記憶部に記憶した上記スケジュール情報に基づいて、スケジュール表示処理を行う請求項１に記載の音声記憶装置。
【請求項９】
日時データと予定内容データを有する予定項目情報を含むスケジュール情報を、外部機器との通信によって受信し、記憶するステップと、
日時計数処理によって計数される現在日時と、記憶した上記スケジュール情報における日時データを比較するステップと、
上記スケジュール情報における日時データと上記計数されている現在日時との比較により判定される関係に基づいて、入力される音声データについての記憶動作に関する処理を行うステップと、
を備える音声記憶方法。
【発明の詳細な説明】
【技術分野】
【０００１】
本発明は、音声記憶装置、音声記憶方法に関する。
【背景技術】
【０００２】
【特許文献１】特開２００４−１０１５６３号公報
【特許文献２】特開平１０−２８３２７７号公報
【０００３】
例えばＩＣレコーダ等と呼ばれて知られているように、装置内部にフラッシュメモリやメモリカードドライブ等の記憶装置部を備え、ユーザが手軽に音声の録音、再生を行うことができる音声記憶再生装置が普及している。このような音声記憶再生装置は、例えば会議録音、自然音の収録、語学学習などに広く利用されている。
また従来より、録音装置において、アラーム発生時刻やタイマー録音の開始・終了時刻を設定する機能を備えたものも存在する。
【発明の開示】
【発明が解決しようとする課題】
【０００４】
ＩＣレコーダのような音声記憶装置では、例えば会議等の開始時刻などに、録音し忘れがないようにするには、上記のようなアラームやタイマー録音の機能を付加し、ユーザがこれらの機能を利用できるようにするとよい。
しかしながらユーザは、アラーム設定、タイマー設定などは操作が面倒であると感じることが多い。
【０００５】
またＩＣレコーダの録音動作によっては、例えばその録音開始から録音停止までの音声データが１つのファイルとして管理される状態に記憶される。通常、ファイル名は、録音日時や、連続番号などで自動的に設定される。例えば「２００８−０４−０５＿００１」などのようなファイル名が付加される。
ところがこのようなファイル名は、後で録音した内容がわかりにくく再生時に不便である。このため、ユーザが任意に文字によるファイル名を設定できるようにしたものもあるが、ユーザにとっては、ファイル名を設定する操作が面倒であり、このためファイル名設定機能が有効利用されないことも多い。
【０００６】
そこで本発明は、ＩＣレコーダ等の音声記憶装置の使用性を向上させることを目的とする。
【課題を解決するための手段】
【０００７】
本発明の音声記憶装置は、情報を記憶する記憶部と、外部機器との間で情報通信を行う情報通信部と、音声データを入力する音声入力部と、現在日時を計数する時計部と、制御部とを備える。制御部は、日時データと予定内容データを有する予定項目情報を含むスケジュール情報を、上記情報通信部による外部機器との通信によって受信し、上記記憶部に記憶させる処理、及び上記記憶部に記憶されたスケジュール情報における日時データと上記時計部で計数される現在日時との関係に基づいて、上記音声入力部から入力される音声データについての上記記憶部への記憶動作に関する処理を行う。
【０００８】
上記制御部は、上記記憶動作に関する処理として、上記時計部で計数される現在日時が、上記スケジュール情報の日時データにおける開始時刻に達した時点で、上記音声入力部から入力される音声データについての上記記憶部への記憶動作を開始させる処理を行う。
また上記制御部は、上記記憶動作に関する処理として、上記時計部で計数される現在日時が、上記スケジュール情報の日時データにおける終了時刻に達した時点で、上記音声入力部から入力される音声データについての上記記憶部への記憶動作を停止させる処理を行う。
また上記制御部は、上記記憶動作に関する処理として、上記時計部で計数される現在日時が、上記スケジュール情報の日時データにおける開始時刻に達した時点もしくは開始時刻の所定時間前に達した時点で、音声データの記憶動作の開始時刻であることを使用者に通知する処理を行う。
また上記制御部は、上記記憶動作に関する処理として、上記時計部で計数される現在日時が、上記スケジュール情報の日時データにおける終了時刻に達した時点もしくは終了時刻の所定時間前に達した時点で、音声データの記憶動作の終了時刻であることを使用者に通知する処理を行う。
また上記制御部は、上記記憶動作に関する処理として、音声データの記憶動作によって生成される音声データファイルのファイル名を、上記スケジュール情報における予定内容データを用いて設定する。
また上記制御部は、上記記憶動作に関する処理として、音声データの記憶動作の際の感度を、上記スケジュール情報に含まれる情報に基づいて設定する。
また上記制御部は、さらに、上記記憶部に記憶した上記スケジュール情報に基づいて、スケジュール表示処理を行う。
【０００９】
本発明の音声記憶方法は、日時データと予定内容データを有する予定項目情報を含むスケジュール情報を、外部機器との通信によって受信し、記憶するステップと、日時計数処理によって計数される現在日時と、記憶した上記スケジュール情報における日時データを比較するステップと、上記スケジュール情報における日時データと上記計数されている現在日時との比較により判定される関係に基づいて、入力される音声データについての記憶動作に関する処理を行うステップとを備える。
【００１０】
このような本発明では、音声記憶装置は、例えばパーソナルコンピュータ等の外部機器で利用されているスケジュール情報と連動して、音声の録音に関する適切な動作を自動的に実行できるようにするものである。
例えば外部機器からスケジュール情報を取り込むことによって、会議等のユーザの予定を判断できるようにする。そして予定日時と現在日時を監視し、予定時刻（開始時刻、終了時刻）になるとアラーム鳴動等によってユーザに通知を行って必要な操作を促したり、或いは自動的に記録開始・停止したり、予定時間内に録音したファイルのファイル名をスケジュール情報内の文字等を用いて自動的に設定する処理などを行う。
【発明の効果】
【００１１】
本発明によれば、音声記憶装置において、ユーザが面倒な操作を行うことなく、ユーザにとって好適な動作が実行されるという効果がある。
即ちスケジュール情報を取り込んでおく操作を行っておけば、例えばアラーム時刻やタイマー録音時間の設定などを行わなくとも、自動的に開始時刻、終了時刻の通知や、或いは録音開始や録音停止が実現されるため、重要な会議等での録音のし忘れ等を防止できる。
また、スケジュール情報の内容からファイル名を自動的に設定することで、ユーザがわざわざファイル名を設定しなくとも、後で録音内容が分かり易いファイル名とすることができる。
【発明を実施するための最良の形態】
【００１２】
以下、本発明の音声記憶装置、音声記憶方法の実施の形態を次の順序で説明する。実施の形態として、例えばＩＣレコーダとしての音声記憶再生装置１を挙げる。
［１．音声記憶再生装置の構成］
［２．パーソナルコンピュータとの接続及び予定管理アプリケーション］
［３．音声記憶再生装置とパーソナルコンピュータのデータ転送］
［４．スケジュール表示処理］
［５．録音処理例＜処理例１〜６＞］
［６．予定管理アプリケーションでのファイル添付］
［７．実施の形態の効果及び変形例］
【００１３】
［１．音声記憶再生装置の構成］
本例の音声記憶再生装置１は、図１に示すように、ＣＰＵ（Central Processing Unit）２、操作部３、ＲＡＭ（Random Access Memory）４、データ記憶装置部５、ファイル処理部６、Ａ／Ｄ変換器７、マイクロホン８、Ｄ／Ａ変換器９、スピーカ１０、表示制御部１１、表示部１２、時計部１３、ＲＯＭ（Read Only Memory）１４、外部インターフェース部１５、マイクアンプ１６、スピーカアンプ１７、バス１８を備える。
【００１４】
ＣＰＵ２は、音声記憶再生装置１の全体を制御する。即ちＣＰＵ２はその動作プログラム及び操作部３によるユーザの操作に基づいて、各種演算処理やバス１８を介しての各部との制御信号等のやりとりを行い、各部に所要の動作を実行させる。
ＲＯＭ１４には、ＣＰＵ２の動作プログラム等が保存される。
【００１５】
操作部３は、ユーザの操作に用いられる各種の操作子が用意されている。例えば再生操作に用いる再生キー、再生や録音の停止操作に用いる停止キー、録音操作に用いる録音キーがなど、音声記憶再生装置１の操作に必要な操作子が設けられる。
ユーザが各種操作子の操作を行った場合、その操作入力情報はＣＰＵ２に検知され、ＣＰＵ２は、操作に応じた必要な制御処理を実行する。
【００１６】
ＲＡＭ４は、音声再生時や音声記憶時（録音時）における音声データのバッファリング（一時的な記憶）に用いられる。
データ記憶装置部５は、音声データ等を不揮発的に記憶する。例えばフラッシュメモリを記録媒体として用いる記憶再生装置部として形成される。
このデータ記憶装置部５は、音声記憶再生装置１における音声データの録音・再生のための記憶を行うものであり、例えば音声データをファイル単位で管理して記憶する。例えば通常の録音動作としての１回の録音期間（録音開始から録音終了まで）においてマイクロホン８から入力される音声データを１つのファイルとして記憶する。また、例えば外部インターフェース部１５を介して転送されてくるファイル単位の音声データやその他の各種情報、例えば後述するスケジュール情報等を取り込んで記憶することもできる。
なお、ここではデータ記憶装置部５は内蔵型のフラッシュメモリの例を挙げているが、記録媒体は他の種のものでもよい。フラッシュメモリを用いた可搬性のメモリーカードのスロットとして形成されてもよいし、光ディスク等の可搬性ディスクメディアを用いるようにしても良い。またＨＤＤ（Hard Disk Drive）をデータ記憶装置部５として搭載してもよい。
【００１７】
ファイル処理部６は、データ記憶装置部５に対する音声データの書込や読出、及び必要なファイル処理としてエンコードやデコード処理を行う。例えば録音時にはデータ圧縮エンコードやファイル化としてのエンコードを行い、再生時にはファイル化されたデータデコードや圧縮に対する伸長デコードを行う。
【００１８】
マイクロホン８は、例えば音声記憶再生装置１に内蔵されており、外部の音声を集音する。マイクロホン８で得られる音声信号は、マイクアンプ１６を介してＡ／Ｄ変換器７に供給され、デジタル音声データに変換されて取り込まれる。なお、マイクロホン８は内蔵しなくても、外部のマイクロホンを接続する形態としてもよい。
マイクアンプ１６に対してはＣＰＵ２は、入力感度調整として入力レベル制御を行うことができる。
スピーカ１０は、例えば音声記憶再生装置１に内蔵されており、音声出力を行う。例えばデータ記憶装置部５に記憶された音声ファイルの再生時などは、音声データがＤ／Ａ変換器９によってアナログ音声信号に変換され、スピーカアンプ９で増幅されてスピーカ１０から音声出力される。スピーカアンプ１７に対してはＣＰＵ２は音量調整制御などを行う。なお、スピーカ１０は内蔵しなくても、外部のスピーカ、イヤホン、ヘッドホン等を接続して用いる形態としてもよい。
【００１９】
表示制御部１１は、ＣＰＵ２の制御に基づいて、表示部１２に所要の表示動作を実行させる。例えば表示制御部１１は、録音・再生時のファイルナンバ、音声ファイルのタイトル、録音や再生の進行時間、日時情報、モード表示などを表示部１２において実行させる。
表示部１２は液晶パネルや有機ＥＬ（Electroluminescence）パネルなどにより形成されている。
時計部１３は現在日時情報（年月日時分秒）の計数を行う。
【００２０】
外部インタフェース部１５は、例えばＵＳＢ（Universal Serial Bus）などの信号規格にしたがって、所定のケーブルを介して外部装置との各種データの送受信を行う。もちろんＵＳＢ方式に限らず、ＩＥＥＥ（Institute of Electrical and Electronics Engineers）１３９４方式など、他の規格による外部インターフェースとしてもよい。
また、有線伝送方式ではなく、赤外線伝送、近距離無線通信その他の無線伝送方式で外部インターフェース部１５を構成しても良い。
音声記憶再生装置１は、この外部インターフェース部１５を介して、パーソナルコンピュータその他各種機器とデータ送受信を行うことができる。例えば音声ファイルとしてのデータの取込や、録音した音声ファイルの外部機器への転送、さらには、後述するスケジュール情報の取込などを行うことができる。
【００２１】
［２．パーソナルコンピュータとの接続及び予定管理アプリケーション］
図２のように本例の音声記憶再生装置１は、上記の外部インターフェース１５を介した例えばＵＳＢケーブル５０等による接続で、パーソナルコンピュータ２００と接続し、各種通信を行うことができる。
まず、音声記憶再生装置１に対して外部機器として接続されるパーソナルコンピュータ２００の構成を図３で説明する。
【００２２】
図３のパーソナルコンピュータ（以下「ＰＣ」）は図示するように、ＣＰＵ２１１、メモリ部２１２、ネットワークインターフェース部２１３、ディスプレイコントローラ２１４、入力機器インターフェース部２１５、ＨＤＤインターフェース部２１６、キーボード２１７、マウス２１８、ＨＤＤ２１９、表示装置２２０、バス２２１、外部機器インターフェース部２２２、メモリカードインターフェース部２２３などを有する。
【００２３】
ＰＣ２００のメインコントローラであるＣＰＵ２１１は、メモリ部２１２に格納されているプログラムに応じて、各種の制御処理を実行する。ＣＰＵ２１１は、バス２２１によって他の各部と相互接続されている。
バス２２１上の各機器にはそれぞれ固有のメモリアドレス又はＩ／Ｏアドレスが付与されており、ＣＰＵ２１１はこれらアドレスによって機器アクセスが可能となっている。バス２２１の一例はＰＣＩ（Peripheral Component Interconnect）バスである。
【００２４】
メモリ部２１２は揮発メモリ、不揮発性メモリの双方を含むものとして示している。例えばプログラムを格納するＲＯＭ、演算ワーク領域や各種一時記憶のためのＲＡＭ、ＥＥＰ−ＲＯＭ（Electrically Erasable and Programmable Read Only Memory）等の不揮発性メモリを含む。
このメモリ部２１２には、ＣＰＵ２１１において実行されるプログラムコードやＰＣ２００に固有の識別情報その他の情報を格納したり、通信データのバッファ領域や実行中の作業データのワーク領域に用いられる。
【００２５】
ネットワークインターフェース部２１３は、イーサネット（Ethernet：登録商標）などの所定の通信プロトコルに従って、ＰＣ２００をインターネットやＬＡＮ（Local Area Network）などのネットワークに接続する。ＣＰＵ２１１はネットワークインターフェース部２１３を介して、ネットワーク接続された各機器と通信を行うことができる。
【００２６】
ディスプレイコントローラ２１４は、ＣＰＵ２１１が発行する描画命令を実際に処理するための専用コントローラであり、例えばＳＶＧＡ（Super Video Graphic Array）又はＸＧＡ（eXtended Graphic Array）相当のビットマップ描画機能をサポートする。ディスプレイコントローラ２１４において処理された描画データは、例えばフレームバッファ（図示しない）に一旦書き込まれた後、表示装置２２０に画面出力される。表示装置２２０は、例えば、有機ＥＬディスプレイ、ＣＲＴ（Cathode Ray Tube）ディスプレイや、液晶表示ディスプレイ（Liquid Crystal Display）などとして形成される。
【００２７】
入力機器インターフェース部２１５は、キーボード２１７やマウス２１８などのユーザ入力機器をＰＣ２００としてのコンピュータシステムに接続するための装置である。
即ちＰＣ２００に対するユーザの操作入力がキーボード２１７及びマウス２１８を用いて行われ、その操作入力情報が、入力機器インターフェース部２１５を介してＣＰＵ２１１に供給される。
【００２８】
ＨＤＤインターフェース部２１６は、ハードディスクドライブ（ＨＤＤ）２１９に対する書込／読出のインターフェース処理を行う。
ＨＤＤ２１９は、周知の通り記憶担体としての磁気ディスクを固定的に搭載した外部記憶装置であり、記憶容量やデータ転送速度などの点で他の外部記憶装置よりも優れている。ソフトウェアプログラムを実行可能な状態でＨＤＤ２１９上に置くことをプログラムのシステムへの「インストール」と呼ぶ。通常、ＨＤＤ２１９には、ＣＰＵ２１１が実行すべきオペレーティングシステムのプログラムコードや、アプリケーションプログラム、デバイスドライバなどが不揮発的に格納されている。
ＨＤＤ２１９に格納されている各種プログラムは、ＰＣ２００の起動時やユーザ層に応じたアプリケーションプログラムの起動時などに、メモリ部２１２に展開される。ＣＰＵ２１１はメモリ部２１２に展開されたプログラムに基づいた処理を行う。
【００２９】
外部機器インターフェース部２２２は、例えばＵＳＢ規格などにより接続された機器とのインターフェースである。例えばデジタルスチルカメラやビデオカメラ、ビデオプレーヤなど各種の電子機器が外部機器インターフェース部２２２により接続可能である。特に本例の音声記憶再生装置１は、その外部インターフェース部１５と、この外部機器インターフェース部２２２が、図２に示したようにＵＳＢケーブル５０等で接続されることで、機器間での相互通信が可能となる。
【００３０】
このようなＰＣ２００では、ＣＰＵ２１１におけるソフトウエア構造、即ちアプリケーションプログラム、ＯＳ（Operating System）、デバイスドライバなどのソフトウエアに基づく演算処理／制御動作を行うことで、各種動作が実行される。
本例の音声記憶再生装置１と関連するアプリケーションプログラムとして、予定管理アプリケーション（以下「スケジューラ」という）がある。
スケジューラとしてのソフトウエアプログラムは、例えばＨＤＤ２１９にインストールされ、起動時にメモリ部２１２に展開される。ＣＰＵ２１１はメモリ部２１２に展開されたプログラムに基づいて必要な演算処理や制御処理を実行し、スケジューラ機能をユーザに提供する。
【００３１】
図４にスケジューラが起動された際に表示装置２２０に表示される画面例を示す。
スケジューラは、ユーザが自分の予定を書き込んで管理するソフトウエアである。スケジューラは、ユーザが入力した予定をスケジュール情報として管理し、図４のように画面表示させることで、ユーザが予定を確認できるようにしている。
【００３２】
［３．音声記憶再生装置とパーソナルコンピュータのデータ転送］
本例の音声記憶再生装置１は、ＰＣ２００と接続した状態で、上記スケジューラが管理しているスケジュール情報を読み込む動作を行う。また、音声記憶再生装置１で録音した音声データのファイル等を、ＰＣ２００に転送することができる。
以下図５，図６で音声記憶再生装置とパーソナルコンピュータのデータ転送の処理例を説明する。なお、図５、図６のいずれも、図２のように接続された際の処理例であるが、図５はユーザが音声記憶再生装置１の操作部３で必要な操作を行うようにした場合の処理例、図６はユーザがＰＣ２００（スケジューラ）側で操作を行う場合の処理例としている。
【００３３】
まず図５の処理例を説明する。
図５において左側の処理は音声記憶再生装置１のＣＰＵ２の処理、右側の処理はＰＣ２００側におけるスケジューラに基づくＣＰＵ２１１の処理を示している。
図２のように接続した状態において、ユーザは音声記憶再生装置１の操作部３から所定の操作を行うことで、スケジュール情報の取込や、ファイル転送を指示することができる。音声記憶再生装置１のＣＰＵ２は、ステップＦ１０７で、接続が解除されたと判別されるまでの期間、ステップＦ１０１でスケジュール情報の取込操作を監視し、また、ステップＦ１０９でファイル転送操作を監視している。
【００３４】
ユーザがスケジュール情報の取込を指示する操作を行った場合、音声記憶再生装置１のＣＰＵ２は、処理をステップＦ１０１からＦ１０２に進め、ＰＣ２００のＣＰＵ２１１に対してスケジュール情報の要求通知を行う。
ＰＣ２００のＣＰＵ２１１はスケジュール情報の要求通知を受けたら、処理をステップＦ２０１からＦ２０２に進め、音声記憶再生装置１に対してスケジュール情報の送信を行う。
スケジューラが管理しているスケジュール情報は、例えば図７のような構成を持つ。即ち各予定項目毎に、開始時刻、終了時刻（もしくは開始時刻のみ）及び予定内容データとしてユーザが入力したテキストデータを有する。
ユーザは、スケジューラを起動している際には、日時或いは日時範囲（開始時刻〜終了時刻）を指定して、任意の内容を入力でき、その内容が１つの予定項目として図４のようなスケジュール表示に反映されることになる。このようにスケジュール情報とは、各予定項目毎としてユーザが自分の予定に応じて入力した日時情報と予定内容データとしてのテキストデータを含むものである。
ＰＣ２００のＣＰＵ２１１は図５のステップＦ２０２で、現時点でのスケジュール情報を音声記憶再生装置１に転送する。音声記憶再生装置１ではステップＦ１０３で、これを外部インターフェース部１５で受信して取り込む。ＣＰＵ２は、この受信したスケジュール情報を、例えばファイル処理部６を介してデータ記憶装置部５に格納させる。
【００３５】
ユーザがファイル転送を指示する操作を行った場合、音声記憶再生装置１のＣＰＵ２は、処理をステップＦ１０４からＦ１０５に進め、ＰＣ２００のＣＰＵ２１１に対してファイル転送通知を行い、引き続きファイル転送を行う。即ちＣＰＵ２は、それまでの録音動作によりデータ記憶装置部５に記憶されている音声ファイルを読み出させ、外部インターフェース部６から転送させる。
ＰＣ２００のＣＰＵ２１１は、音声記憶再生装置１からのファイル転送通知を受けたら、処理をステップＦ２０３からＦ２０４に進め、音声記憶再生装置１から転送されてくるファイルの取込処理を行う。例えば転送されてくる１又は複数のファイルをＨＤＤ２１９に記憶させるなどの処理を行う。
またステップＦ２０５で、転送されてきたファイルを、スケジュール情報に関連付けする。この処理については後述する。
【００３６】
例えばこの図５のような処理として、ユーザが音声記憶再生装置１側で操作を行うことに応じた、音声記憶再生装置１とＰＣ２００の間のデータ通信が実行される。
一方、図６のようにユーザがスケジューラ実行にＰＣ２００側でキーボード２１７やマウス２１８を用いての操作を行う場合の処理は例えば図６のようになる。
【００３７】
起動されたスケジューラに基づいて動作中のＣＰＵ２１１は、スケジューラに関する各種ユーザ操作を監視しているが、特に図６のステップＦ２５０，Ｆ２５４では、音声記憶再生装置１との通信に関する操作の監視を示している。例えば図４では示していないが、このようなスケジューラ画面において、スケジュール情報の転送操作やファイル取込操作のアイコンが用意され、ユーザがそれらをクリックすることなどで操作指示を可能などとする。
【００３８】
ユーザがスケジュール転送の操作を行った場合、ＣＰＵ２１１は処理をステップＦ２５０からＦ２５１に進め、現在、音声記憶再生装置１との間の接続が確立しているか否かを確認する。非接続状態であれば当該操作は無効とする。
接続状態であれば、ＣＰＵ２１１はステップＦ２５２に進み、音声記憶再生装置１のＣＰＵ２に対してスケジュール情報の転送を行う旨の通知を行う。そしてステップＦ２５３で、例えば図７のようなスケジュール情報の転送処理を行う。
音声記憶再生装置１のＣＰＵ２はステップＦ１５０でスケジュール情報の転送通知を受信したら、ステップＦ１５１に進む。そして、ＰＣ２００から転送されてくるスケジュール情報の取込処理を行う。即ちＣＰＵ２は、外部インターフェース部１５で受信したスケジュール情報を、例えばファイル処理部６を介してデータ記憶装置部５に格納させる。
【００３９】
ユーザがＰＣ２００側において、ファイル取込操作を行った場合、ＣＰＵ２１１は処理をステップＦ２５４からＦ２５５に進め、現在、音声記憶再生装置１との間の接続が確立しているか否かを確認する。非接続状態であれば当該操作は無効とする。
接続状態であれば、ＣＰＵ２１１はステップＦ２５６に進み、音声記憶再生装置１のＣＰＵ２に対してファイル転送要求を行う。
音声記憶再生装置１のＣＰＵ２はファイル転送要求を受信したら処理をステップＦ１５２からＦ１５３に進め、ファイル転送処理を行う。即ちＣＰＵ２は、それまでの録音動作によりデータ記憶装置部５に記憶されている音声ファイルを読み出させ、外部インターフェース部６から転送させる。
ＰＣ２００のＣＰＵ２１１は、ステップＦ２５７で音声記憶再生装置１から転送されてくるファイルの取込処理を行う。例えば転送されてくる１又は複数のファイルをＨＤＤ２１９に記憶させるなどの処理を行う。
またステップＦ２５８で、転送されてきたファイルを、スケジュール情報に関連付けする。この処理については後述する。
【００４０】
例えばこの図６のような処理として、ユーザがＰＣ２００側で操作を行うことに応じた、音声記憶再生装置１とＰＣ２００の間のデータ通信が実行される。
なお、この図６の例では、ＰＣ２００側のステップＦ２５６，Ｆ２５７の処理と、音声記憶再生装置１側のステップＦ１５２，Ｆ１５３の処理でファイル転送が行われるものとしたが、他の処理例もある。ＵＳＢ接続機器の場合、ＰＣ２００は、接続されたＵＳＢ機器をいわゆるＵＳＢメモリとして扱って、直接アクセスすることも可能である。即ちＣＰＵ２１１は、音責記憶再生装置１をＵＳＢメモリとして認識し、データ記憶装置部５（及びファイル処理部６）に対して直接アクセスし、ＣＰＵ２の制御を介さずに、ファイル読込を行うこともできる。
【００４１】
［４．スケジュール表示処理］
上記のように、音声記憶再生装置１はスケジューラが管理しているスケジュール情報を取り込んでデータ記憶装置部５に格納しておくことができる。
このスケジュール情報を利用した録音処理例については後述するが、取り込んだスケジュール情報の利用形態の１つとして、音声記憶再生装置１でスケジュール表示を行うことができる。図８に、スケジュール情報の表示のためのＣＰＵ２の処理例を示す。
【００４２】
ユーザは操作部３による所定の操作（例えば表示モード操作）により、スケジュール表示を求めることができる。
ユーザがスケジュール表示の操作を行ったことを検知したら、ＣＰＵ２は図８の処理をステップＦ３０１からＦ３０２に進め、スケジュール情報の取込が行われてるか否かを確認する。即ちデータ記憶装置部５にスケジュール情報ファイルが存在するか否かを確認する。もし存在しなければ、当該操作は無効とする。
スケジュール情報が取り込まれていれば、ＣＰＵ２はステップＦ３０３に進み、時計部１３で計数されている現在の日時と、スケジュール情報に含まれている各予定項目の日時データ（例えば開始時刻）の比較確認を行う。そしてステップＦ３０４で、開始時刻が現在日時より後となっている予定項目を抽出する。
ステップＦ３０５では、ＣＰＵ２は、抽出した予定項目により、一覧表示データを生成し、表示制御部１１に転送して表示部１２において表示させる。
【００４３】
例えば現在日時が２００８年４月１日であって、取り込まれているスケジュール情報が図７のような内容であったとする。この場合、図７の各予定項目＃１、＃２・・・は、４月２日以降が開始時刻であるため、これらがステップＦ３０４で抽出され、ステップＦ３０５の処理で表示される。
例えば表示部１２において図９（ａ）のように、各予定項目の内容が表示される。なお表示する予定項目が多い場合は、送り操作などで一覧表示をスクロールできるようにすればよい。
【００４４】
このようなスケジュール情報を用いた表示を行うことで、ユーザは、音声記憶再生装置１を所持していれば、いつでも簡易に自分の今後の予定を確認できることになる。音声記憶再生装置１が携帯に適した小型の機器とされていれば、このような機能は手帳代わりに音声記憶再生装置１を利用できるという点で特に便利である。
【００４５】
なお、図８の例では現在以降の予定項目を抽出して表示するものとしたが、特にステップＦ３０４の処理を行わず、既に過去となっている予定項目も含めて、全ての予定項目を表示させるようにしてもよい。
或いは、現在から一番近い直近の予定のみを表示させるようにしたり、本日の予定、今週の予定などとして、特定の日時範囲の予定のみを抽出して表示させるようにしてもよい。
【００４６】
［５．録音処理例＜処理例１〜６＞］
音声記憶再生装置１は、ユーザの操作に応じて録音や再生を行うことができる機器であるが、特にここで、スケジュール情報を利用した録音処理例として処理例１〜６を説明する。
【００４７】
＜処理例１＞
図１０（ａ）及び図１１により処理例１を説明する。
図１０（ａ）は処理例１の動作を模式的に表したものである。図示する開始時刻、終了時刻とは、スケジュール情報における或る１つの予定項目の開始時刻、終了時刻であるとする。例えば図７の予定項目＃１として示した「資材・コストミーティング・・・」の開始時刻、終了時刻などである。
この場合、現在時刻が或る予定項目の開始時刻に達したら、音声記憶再生装置１は自動的に録音を開始する。録音動作を矢印「ＲＥＣ」で示している。
また、現在時刻が終了時刻に達したら、音声記憶再生装置１は自動的に録音を停止する。
また、この録音動作により１つの音声ファイルが記憶されることになるが、ファイル名は対象の予定項目のテキストデータを用いて自動設定される。例えば予定項目内のテキストデータとして「△△△」という文字が存在する場合、このファイルのファイル名は「△△△」とされる。対象の予定項目が図７の予定項目＃１であったとしたら、例えば「資材・コストミーティング・・・」というファイル名が自動設定される。
【００４８】
つまりこの処理例１は、予定項目の開始時刻から終了時刻までの間、自動的に録音を行う例である。
この処理例１を実現するためのＣＰＵ２の処理を図１１で説明する。
ＣＰＵ２はステップＦ４０１で、時計部１３で計数されている現在日時と、スケジュール情報における直近の予定項目の開始時刻の比較を行い、現在時刻が或る予定項目に達したか否かを判断している。
【００４９】
現在時刻が開始時刻となったら、ＣＰＵ２はステップＦ４０２に進み、録音動作の用意としてマイク感度の自動設定を行う。
この場合、当該予定項目のテキストデータからユーザの望む感度設定を判断する。
上述したようにスケジュール情報は、ＰＣ２００側で起動されているスケジューラにおいてユーザが任意に各種予定を入力したテキストデータを含む。言い換えれば、テキストデータとしてユーザは任意の文字を入力することができる。従ってユーザが音声記憶再生装置１による録音を想定する場合は、マイク感度設定の文字を入力することも任意である。
図７のスケジュール情報では、例えば予定項目＃１のテキストデータに「＜感度設定Ｈ＞」という文字列が含まれ、また予定項目＃３のテキストデータには「＜感度設定Ｌ＞」という文字列が含まれている例を示している。これらは、ユーザが任意に入力した文字列である。
【００５０】
マイク感度、即ちマイクロホン入力レベル設定としては、例えば遠い位置の音でも録音したい場合は感度を高くしたいが、感度を高くすればノイズレベルは比較的大きくなる。マイク感度を低くすればノイズレベルは小さくなるが、遠い位置の音や小さい音が明瞭に録音されにくなる。このことから、会議等の録音を想定した場合、広い会議室で録音する場合はマイク感度を高く、狭い会議室での少人数の会議の録音の場合はマイク感度を低く設定しておくことが望ましい。
そこで本例では、スケジュール情報におけるテキストデータ内容から、ＣＰＵ２がユーザの望むマイク感度を判別し、自動設定するようにする。逆に言えば、ユーザはスケジューラで予定項目を入力する際に、マイク感度の設定文字として＜感度設定Ｈ＞などの文字を加えておくことで、録音時に音声記憶再生装置１に自動マイク感度設定させることができる。
【００５１】
ＣＰＵ２はステップＦ４０２において、現在対象としている予定項目のテキストデータを解析し、マイク感度の設定文字が含まれているか否かを判定する。そして含まれてればそれに応じたマイク感度設定を行う。例えば＜感度設定Ｈ＞という文字が存在したら、ＣＰＵ２は、マイクアンプ１６における入力感度設定をハイレベルとする。一方、＜感度設定Ｌ＞という文字が存在した場合は、マイクアンプ１６における入力感度設定をローレベルとする。もし、マイク感度の設定文字が含まれていない場合などで判定不能の場合は、マイク感度を標準レベル、中間レベルとしたり、或いは現状の設定のままなどとすればよい。また、テキストデータに基づく感度設定手法はこれ以外も考えられるが、それらは変形例として後述する。
【００５２】
続いてＣＰＵ２はステップＦ４０３で、録音するファイルのファイル名を設定する。
ＣＰＵ２は現在対象としている予定項目のテキストデータを用いてファイル名を自動生成する。例えば現在対象としている予定項目が図７の予定項目＃１である場合、テキストデータとして「資材・コストミーティング  １０１大会議室  ＜感度設定Ｈ＞」という文字列があるが、この文字列をそのままファイル名としてもよいし、文字列内の最初の区切りまで、例えば最初のスペースまでの文字を用いて「資材・コストミーティング」というファイル名としてもよい。また抽出した文字列に「０１」等の数値を付して、「資材・コストミーティング  ０１」というファイル名としてもよい。或いはテキストデータの先頭１０文字など、所定の文字数を抽出してファイル名としてもよい。
【００５３】
続いてＣＰＵ２はステップＦ４０４で録音開始制御として各部に録音動作を指示する。
この場合、マイクロホン８から入力された音声はマイクアンプ１６を介してＡ／Ｄ変換器７に供給されてデジタル音声データとされ、ＲＡＭ４にバッファリング記憶される。バッファリング記憶された音声データは、所定データ単位毎にファイル処理部６に転送される。ファイル処理部６は転送されてくる音声データについてエンコード処理を行ってデータ記憶装置部５に記憶させていく。このような動作が録音終了まで継続される。
この録音動作中の表示部１２の表示例を図９（ｂ）に示す。この録音動作中の表示としては、進行時間、録音中を示す「ＲＥＣ」の表示、バッテリー残量、入力レベルその他必要な事項が表示されるが、特に本例の場合、ステップＦ４０３で設定されたファイル名（例えば「資材・コストミーティング  ０１」）が、表示できることになる。
【００５４】
録音中は、ＣＰＵ２はステップＦ４０５で、現在時刻が今回対象の予定項目の終了時刻に達したか否かを監視している。そして終了時刻に達したらステップＦ４０６に進み、各部に録音動作の停止を指示する。ステップＦ４０６でのＣＰＵ２の制御により、各部が上記の録音動作を停止し、録音が終了されるとともに、データ記憶装置部５において、今回の録音データが１つのファイルとして管理される状態にさせる。このとき、ファイル名が、上記ステップＦ４０３で設定されたファイル名として管理されることは言うまでもない。
【００５５】
以上の図１１の処理により、図１０（ａ）のように、予定項目の開始時刻から終了時刻までの間、自動的に録音が行われる動作が実行されることになる。
ユーザは、音声記憶再生装置１を所持していれば、特に何もしなくとも会議等、予定項目として設定した時間帯の録音が行われることになり、会議中に録音操作を気にする必要はなくなる。もちろん録音のし忘れ、或いは録音停止のし忘れなどもなくなる。
【００５６】
なお、ステップＦ４０１で開始時刻に到達したと判断された際に、自動的に録音を開始することをユーザに通知するため、録音開始のアラーム音を発生させるようにしても良い。或いは、開始時刻到達の少し前、例えば３分前などにアラーム音出力や、３分後に録音を開始する旨の表示などを実行し、例えばユーザが自動録音をキャンセルしたい場合に、キャンセル操作を実行できるようにしてもよい。
また、終了時刻に達して録音を停止するとき、或いはその少し前に、録音終了をユーザに通知するアラーム音出力やメッセージ表示を行ったり、或いは終了時刻での録音終了をキャンセルする操作を行うことができるようにしてもよい。つまりユーザが、録音を終了させずにそのまま続けたいと思う場合に対応できるようにする。
【００５７】
＜処理例２＞
処理例２を図１０（ｂ）、図１２で説明する。
図１０（ｂ）に示すように、この処理例２は、現在時刻が或る予定項目の開始時刻に達したら、音声記憶再生装置１は自動的に録音を開始する。録音動作を矢印「ＲＥＣ」で示している。そして録音開始後は、ユーザの手動操作により録音停止、或いは録音再開が行われるようにする。
例えば図１０（ｂ）の（２−１）として示すように、或る予定項目の開始時刻で録音が自動的に開始され、終了時刻に達する前であっても、ユーザが停止操作を行った時点で録音動作が終了される。ファイル名は予定項目のテキストデータを用いて例えば「△△△０１」とされる。
また図１０（ｂ）の（２−２）は、開始時刻で録音が自動的に開始された後、終了時刻に達しても、ユーザが停止操作を行わないために、そのまま録音が継続される状況を示している。そして終了時刻を過ぎた後、ユーザが停止操作を行った時点で録音動作が終了される。ファイル名は予定項目のテキストデータを用いて例えば「△△△０１」とされる。
また図１０（ｂ）の（２−３）の例は、開始時刻で録音が自動的に開始された後、一旦ユーザの停止操作により録音が終了される。その後、まだ終了時刻に達する前において、ユーザが録音操作を行うことで、録音動作が開始され、その後、ユーザの停止操作に応じて録音動作が終了される。最初の録音のファイル名は予定項目のテキストデータを用いて例えば「△△△０１」とされ、２回目の録音のファイル名は同じく予定項目のテキストデータに次のナンバを添えて例えば「△△△０２」とされる。
【００５８】
これらの例は、例えば会議などの録音対象の状況に応じた動作が行われるものとなる。（２−１）は、例えば会議が予定より早く終わった場合に対応した録音が行われた例であり、（２−２）は会議が延長した場合に対応した録音が行われた例である。また（２−３）は会議の途中で休憩など、録音不要とユーザが判断した時間帯があった場合などに対応した例である。
【００５９】
この処理例２を実現するＣＰＵ２の処理を図１２で説明する。
ＣＰＵ２はステップＦ４１０で、時計部１３で計数されている現在日時と、スケジュール情報における直近の予定項目の開始時刻の比較を行い、現在時刻が或る予定項目に達したか否かを判断する。
現在時刻が開始時刻となったら、ＣＰＵ２はステップＦ４１１に進み、上記処理例１の場合と同様、予定項目のテキストデータから判断してマイク感度の自動設定を行う。
またＣＰＵ２はステップＦ４１２において、現在対象としている予定項目のテキストデータを用いて、録音するファイルのファイル名を設定する。
【００６０】
続いてＣＰＵ２はステップＦ４１３で録音開始制御を行う。これによって各部で必要な動作が開始される。即ちマイクロホン８から入力された音声はマイクアンプ１６を介してＡ／Ｄ変換器７に供給されてデジタル音声データとされ、ＲＡＭ４にバッファリング記憶される。バッファリング記憶された音声データは、所定データ単位毎にファイル処理部６に転送される。ファイル処理部６は転送されてくる音声データについてエンコード処理を行ってデータ記憶装置部５に記憶させていく。
この録音動作中は、ＣＰＵ２はステップＦ４１４でユーザの停止操作を監視する。電池切れやデータ記憶装置部５の容量の使い切りなど、特段の録音終了事情がない限りは、ユーザが停止操作を行うまでは録音を継続する。
ユーザの停止操作を検知した場合、ＣＰＵ２はステップＦ４１５に進み、各部に録音動作の停止制御を行う。これにより録音動作が停止されるとともに、データ記憶装置部５において、今回の録音データが１つのファイルとして管理される状態にされる。このとき、ファイル名はステップＦ４１２で設定されたファイル名として管理される。
【００６１】
ステップＦ４１５の停止制御の後は、ＣＰＵ２はステップＦ４１６では、現在時刻が現在対象としている予定項目の終了時刻に達しているか否かを監視する。またステップＦ４１７では、ユーザの録音操作が行われたか否かを監視する。
そのまま録音操作が行われずに終了時刻に達した場合は、図１２の処理、即ち或る予定項目を対象として自動録音開始を行った処理を終える。例えば図１０（ｂ）の（２−１）の例のような場合である。
また、ステップＦ４１５で停止処理を行った時点で、既に終了時刻をすぎている場合は、ステップＦ４１６で即座に終了時刻に到達済と判断され、図１２の処理を終える。例えば図１０（ｂ）の（２−２）の例のような場合である。
【００６２】
一方、終了時刻に達する前に、ユーザが録音操作を行った場合は、ＣＰＵ２はステップＦ４１７からＦ４１８に進み、ファイル名設定を行う。この場合もステップＦ４１２と同様にスケジュール情報のテキストデータを用いて自動設定するが、直前に録音したファイルと同じファイル名にならないように、例えばナンバを付す。
例えば最初にステップＦ４１２で設定したファイル名が「資材・コストミーティング  ０１」であった場合、ステップＦ４１８では例えば「資材・コストミーティング  ０２」とする。
そしてＣＰＵ２はステップＦ４１３に進み、録音開始制御を行う。以降、ユーザが停止操作を行うまで録音を継続する。
【００６３】
この図１２の処理により、図１０（ｂ）のように、予定項目の開始時刻で自動的に録音が開始され、その後はユーザの手動で録音停止や再開が行われる動作が実行されることになる。
この場合、自動的に録音開始されることで、会議などで録音開始操作を忘れてしまって録音できなかったというような事態を回避できる。さらに開始後は手動で停止や再開を行うことができるため、実際の会議等の状況に応じた録音動作が実現できる。
【００６４】
なお、ステップＦ４０１で開始時刻に到達したと判断された際に、自動的に録音を開始することをユーザに通知するため、録音開始のアラーム音を発生させるようにしても良い。或いは、開始時刻到達の少し前、例えば３分前などにアラーム音出力や、３分後に録音を開始する旨の表示などを実行し、例えばユーザが自動録音をキャンセルしたい場合に、キャンセル操作を実行できるようにしてもよい。
また、この処理例２では、録音が実行されたまま終了時刻に達した場合は、そのまま録音が継続される。この場合、ユーザが録音停止操作を忘れている場合もあり得るため、録音実行中に終了時刻に達した場合は、アラーム音出力やメッセージ表示を行ない、ユーザに、録音を続けて良いか否かの注意を促すようにすることも考えられる。
【００６５】
＜処理例３＞
処理例３を図１０（ｃ）、図１３で説明する。
図１０（ｃ）に示すように、この処理例３は、現在時刻が或る予定項目の開始時刻に達したら、音声記憶再生装置１は自動的に録音を開始する。そして録音開始後は、ユーザの手動操作により録音停止、或いは録音再開が行われるようにする。また、現在時刻が終了時刻に達したら、音声記憶再生装置１は自動的に録音を停止する。
この開始時刻から終了時刻までの間に録音された１又は複数のファイルのファイル名は予定項目のテキストデータを用いて設定される。例えば図示のように２つのファイルが録音された場合、各ファイル名は「△△△０１」「△△△０２」とされる。
【００６６】
この処理例３を実現するＣＰＵ２の処理を図１３で説明する。
ＣＰＵ２はステップＦ４２０で、時計部１３で計数されている現在日時と、スケジュール情報における直近の予定項目の開始時刻の比較を行い、現在時刻が或る予定項目に達したか否かを判断する。
現在時刻が開始時刻となったら、ＣＰＵ２はステップＦ４２１に進み、上記処理例１、２の場合と同様、予定項目のテキストデータから判断してマイク感度の自動設定を行う。
またＣＰＵ２はステップＦ４２２において、現在対象としている予定項目のテキストデータを用いて、録音するファイルのファイル名を設定する。
【００６７】
続いてＣＰＵ２はステップＦ４２３で録音開始制御を行う。これによって各部で必要な動作が開始される。即ちマイクロホン８から入力された音声はマイクアンプ１６を介してＡ／Ｄ変換器７に供給されてデジタル音声データとされ、ＲＡＭ４にバッファリング記憶される。バッファリング記憶された音声データは、所定データ単位毎にファイル処理部６に転送される。ファイル処理部６は転送されてくる音声データについてエンコード処理を行ってデータ記憶装置部５に記憶させていく。
この録音動作中は、ＣＰＵ２はステップＦ４２４でユーザの停止操作を監視する。またステップＦ４２５では、現在時刻が現在対象としている予定項目の終了時刻に達したか否かを監視する。
【００６８】
ユーザの停止操作を検知した場合、ＣＰＵ２はステップＦ４２６に進み、各部に録音動作の停止制御を行う。これにより録音動作が停止されるとともに、データ記憶装置部５において、今回の録音データが１つのファイルとして管理される状態にされる。このとき、ファイル名はステップＦ４２２で設定されたファイル名として管理される。
【００６９】
ステップＦ４２６の停止制御の後は、ＣＰＵ２はステップＦ４２８で、現在時刻が現在対象としている予定項目の終了時刻に達しているか否かを監視する。またステップＦ４２９では、ユーザの録音操作が行われたか否かを監視する。
そのまま録音操作が行われずに終了時刻に達した場合は、図１３の処理、即ち或る予定項目を対象として自動録音開始を行った処理を終える。
【００７０】
一方、終了時刻に達する前に、ユーザが録音操作を行った場合は、ＣＰＵ２はステップＦ４２９からＦ４３０に進み、ファイル名設定を行う。この場合もステップＦ４２２と同様にスケジュール情報のテキストデータを用いて自動設定するが、直前に録音したファイルと同じファイル名にならないように、例えば異なるナンバを付す。
例えば最初にステップＦ４２２で設定したファイル名が「資材・コストミーティング  ０１」であった場合、ステップＦ４３０では例えば「資材・コストミーティング  ０２」とする。
そしてＣＰＵ２はステップＦ４２３に進み、録音開始制御を行う。これにより録音動作が停止されるとともに、データ記憶装置部５において、今回の録音データが１つのファイルとして管理される状態にされる。このとき、ファイル名は、その録音の開始に際してステップＦ４２２又はＦ４３０で設定されたファイル名として管理される。
そして図１３の処理を終える。
【００７１】
この図１３の処理により、図１０（ｃ）のように、予定項目の開始時刻で自動的に録音が開始され、その後はユーザの手動で録音停止や再開が行われる動作が実行されるが、終了時刻では録音が自動停止される動作が行われることになる。
この場合、自動的に録音開始されることで、会議などで録音開始操作を忘れてしまって録音できなかったというような自体を回避できる。さらに開始後は手動で停止や再開を行うことができるため、実際の会議等の状況に応じた録音動作が実現できる。さらに、終了時刻では録音が自動停止されることで、いわゆる録音の止め忘れが回避される。
【００７２】
なお、ステップＦ４０１で開始時刻に到達したと判断された際に、自動的に録音を開始することをユーザに通知するため、録音開始のアラーム音を発生させるようにしても良い。或いは、開始時刻到達の少し前、例えば３分前などにアラーム音出力や、３分後に録音を開始する旨の表示などを実行し、例えばユーザが録音をキャンセルしたい場合に、キャンセル操作を実行できるようにしてもよい。
また、終了時刻に達して録音を停止するとき、或いはその少し前に、録音終了をユーザに通知するアラーム音出力やメッセージ表示を行ったり、或いは終了時刻での録音終了をキャンセルする操作を行うことができるようにしてもよい。つまりユーザが、録音を終了させずにそのまま続けたいと思う場合に対応できるようにすることもできる。
【００７３】
＜処理例４＞
処理例４を図１４（ａ）、図１５で説明する。
図１４（ａ）に示すように、この処理例４は、現在時刻が或る予定項目の開始時刻に達したら、音声記憶再生装置１はユーザにアラーム出力を行い、開始時刻であることを通知する。そしてユーザが、手動の録音操作を行うことで録音を開始する。ユーザの手動操作による録音開始のため、録音の開始時点は不定である。例えばアラーム直後にユーザが録音操作を行えば、図１４（ａ）の（４−１）のように開始時刻直後から録音が開始される。
一方、会議の開始が遅れたような場合、ユーザは会議の開始を待って録音操作を行えばよい。その場合（４−２）のように、開始時刻から遅れた時刻に録音が開始される。
或いは、アラーム出力によってユーザが開始時刻を認識したとしても、ユーザが自分の意志で録音操作を行わない場合もあり得る。
【００７４】
録音開始後については、現在時刻が終了時刻に達したら、音声記憶再生装置１は自動的に録音を停止する。
録音されたファイルのファイル名は予定項目のテキストデータ「△△△」を用いて設定される。
【００７５】
この処理例４を実現するＣＰＵ２の処理を図１５で説明する。
ＣＰＵ２はステップＦ４５０で、時計部１３で計数されている現在日時と、スケジュール情報における直近の予定項目の開始時刻の比較を行い、現在時刻が或る予定項目に達したか否かを判断する。
現在時刻が開始時刻となったら、ＣＰＵ２はステップＦ４５１に進み、アラーム出力を行う。ＣＰＵ２は、所定のアラーム用の音声データを内部メモリ、或いはＲＯＭ１４等に保持しており、これをＤ／Ａ変換器９に供給し、スピーカ１０からアラーム出力を実行させる。これによって例えば電子音、メッセージ音声などとして、開始時刻となったことをユーザに通知する音声出力が実行される。
【００７６】
アラーム出力制御をした後は、ＣＰＵ２はステップＦ４５２でユーザの録音操作を待機する。またステップＦ４５３で、現在時刻が終了時刻に至ったか否かを監視する。
もしユーザが録音操作を行わないまま終了時刻に至った場合は、ステップＦ４５３からこの図１５の処理を終える。
終了時刻に至る前にユーザが録音操作を行ったことを検知した場合は、ＣＰＵ２は処理をステップＦ４５４に進め、上記処理例１〜３の場合と同様、予定項目のテキストデータから判断してマイク感度の自動設定を行う。
またＣＰＵ２はステップＦ４５５において、現在対象としている予定項目のテキストデータを用いて、録音するファイルのファイル名を設定する。
【００７７】
続いてＣＰＵ２はステップＦ４５６で録音開始制御を行い、各部で録音のための動作が開始される。マイクロホン８から入力された音声はマイクアンプ１６を介してＡ／Ｄ変換器７に供給されてデジタル音声データとされ、ＲＡＭ４にバッファリング記憶される。バッファリング記憶された音声データは、所定データ単位毎にファイル処理部６に転送される。ファイル処理部６は転送されてくる音声データについてエンコード処理を行ってデータ記憶装置部５に記憶させていく。
この録音動作中は、ＣＰＵ２はステップＦ４５７で、現在時刻が現在対象としている予定項目の終了時刻に達したか否かを監視する。
【００７８】
終了時刻に達したらＣＰＵ２はステップＦ４５８に進み、各部に録音動作の停止を指示する。これによって録音動作が終了されるとともに、データ記憶装置部５において、今回の録音データが１つのファイルとして管理される状態とされる。ファイル名は、ステップＦ４５５で設定されたファイル名として管理される。
【００７９】
以上の図１５の処理により、図１４（ａ）のように、開始時刻においてアラーム出力が行われ、手動操作によって録音が開始され、終了時刻で自動的に録音が停止される動作が行われる。
或る予定の開始時刻においてアラーム出力が行われることで、ユーザは録音をすべき時刻であることを知ることができ、録音のし忘れの防止となる。また録音開始は手動操作によるものであり、例えば会議の開始が遅れたような場合にも対応できる。
録音停止は自動的に行われるため、いわゆる止め忘れも防止できる。
【００８０】
なお、図１５では開始時刻に到達したときにアラーム出力を行うものとしたが、開始時刻到達の少し前、例えば３分前などにアラーム音出力や、３分後に録音を開始する旨の表示などを実行し、ユーザに早めに注意を促しても良い。
また、ステップＦ４５２で録音操作を待機している間に、ユーザに対して注意を喚起するため、例えば定期的にアラーム出力を行うようにすることも考えられる。
また、終了時刻に達して録音を停止するとき、或いはその少し前に、録音終了をユーザに通知するアラーム音出力やメッセージ表示を行ったり、或いは終了時刻での録音終了をキャンセルする操作を行うことができるようにしてもよい。つまりユーザが、録音を終了させずにそのまま続けたいと思う場合に対応できるようにすることもできる。
【００８１】
＜処理例５＞
処理例５を図１４（ｂ）、図１６で説明する。
図１４（ｂ）に示すように、この処理例４は、現在時刻が或る予定項目の開始時刻に達したら、音声記憶再生装置１はユーザにアラーム出力を行い、開始時刻であることを通知する。そしてユーザが、手動の録音操作を行うことで録音を開始する。ユーザの手動操作による録音開始のため、録音の開始時点は不定である。図１４（ｂ）の（５−１）及び（５−３）は、アラーム直後にユーザが録音操作を行った場合を示し、また（５−２）は、アラーム出力後、或る程度時間をおいてユーザが録音操作を行った場合を示している。
もちろん、アラーム出力によってユーザが開始時刻を認識したとしても、ユーザが自分の意志で録音操作を行わない場合もあり得る。
【００８２】
録音開始後は、ユーザの手動操作で録音の停止や再開が行われる。
（５−１）の例は、終了時刻に達する前にユーザが停止操作を行うことで録音動作が停止された例である。（５−２）は、終了時刻に達しても、ユーザが停止操作を行わないために、そのまま録音が継続され、終了時刻を過ぎた後、ユーザが停止操作を行った時点で録音動作が終了された例である。
（５−３）の例は、録音開始された後、一旦ユーザの停止操作により録音が終了される。その後、まだ終了時刻に達する前において、ユーザが録音操作を行うことで、録音動作が開始され、その後、ユーザの停止操作に応じて録音動作が終了される。
【００８３】
即ちこの処理例５は、開始時刻においてアラーム出力によって通知を行うが、録音の開始及び停止については、全てユーザの手動操作によるものとする例である。
また録音されたファイル名については、対象としている予定項目のテキストデータを用いて例えば「△△△０１」等とされる。
【００８４】
この処理例５を実現するＣＰＵ２の処理を図１６で説明する。
ＣＰＵ２はステップＦ４６０で、時計部１３で計数されている現在日時と、スケジュール情報における直近の予定項目の開始時刻の比較を行い、現在時刻が或る予定項目に達したか否かを判断する。
現在時刻が開始時刻となったら、ＣＰＵ２はステップＦ４６１に進み、上記処理例４と同様にアラーム出力を行う。
【００８５】
アラーム出力制御をした後は、ＣＰＵ２はステップＦ４６２でユーザの録音操作を待機する。またステップＦ４６３で、現在時刻が終了時刻に至ったか否かを監視する。もしユーザが録音操作を行わないまま終了時刻に至った場合は、ステップＦ４６３からこの図１６の処理を終える。
終了時刻に至る前にユーザが録音操作を行ったことを検知した場合は、ＣＰＵ２は処理をステップＦ４６４に進め、上記処理例１〜４の場合と同様、予定項目のテキストデータから判断してマイク感度の自動設定を行う。
またＣＰＵ２はステップＦ４６５において、現在対象としている予定項目のテキストデータを用いて、録音するファイルのファイル名を設定する。
【００８６】
続いてＣＰＵ２はステップＦ４６６で録音開始制御を行い、これにより各部で録音のための動作が開始される。マイクロホン８から入力された音声はマイクアンプ１６を介してＡ／Ｄ変換器７に供給されてデジタル音声データとされ、ＲＡＭ４にバッファリング記憶される。バッファリング記憶された音声データは、所定データ単位毎にファイル処理部６に転送される。ファイル処理部６は転送されてくる音声データについてエンコード処理を行ってデータ記憶装置部５に記憶させていく。
この録音動作中は、ＣＰＵ２はステップＦ４６７でユーザの停止操作を監視する。電池切れやデータ記憶装置部５の容量の使い切りなど、特段の録音終了事情がない限りは、ユーザが停止操作を行うまでは録音を継続する。
ユーザの停止操作を検知した場合、ＣＰＵ２はステップＦ４６８に進み、各部に録音動作の停止制御を行う。これにより録音動作が停止されるとともに、データ記憶装置部５において、今回の録音データが１つのファイルとして管理される状態にされる。このとき、ファイル名はステップＦ４６５で設定されたファイル名として管理される。
【００８７】
ステップＦ４６８の停止制御の後は、ＣＰＵ２はステップＦ４６９で、現在時刻が現在対象としている予定項目の終了時刻に達しているか否かを監視する。またステップＦ４７０では、ユーザの録音操作が行われたか否かを監視する。
そのまま録音操作が行われずに終了時刻に達した場合は、この図１６の処理を終える。
また、ステップＦ４６８で停止処理を行った時点で、既に終了時刻をすぎている場合は、ステップＦ４６９で即座に終了時刻に到達済と判断され、図１２の処理を終える。
【００８８】
一方、終了時刻に達する前に、ユーザが録音操作を行った場合は、ＣＰＵ２はステップＦ４７０からＦ４７１に進み、ファイル名設定を行う。この場合もステップＦ４６５と同様にスケジュール情報のテキストデータを用いて自動設定するが、直前に録音したファイルと同じファイル名にならないように、例えばナンバを付す。例えば最初にステップＦ４１２で設定したファイル名が「資材・コストミーティング  ０１」であった場合、ステップＦ４１８では例えば「資材・コストミーティング  ０２」とする。
そしてＣＰＵ２はステップＦ４６６に進み、録音開始制御を行う。以降、ユーザが停止操作を行うまで録音を継続する。
【００８９】
この図１６の処理により、図１４（ｂ）のように、予定項目の開始時刻でアラーム出力が行われ、その後はユーザの任意の手動操作で録音開始や録音停止が行われる動作が実行されることになる。
この場合、或る予定の開始時刻においてアラーム出力が行われることで、ユーザは録音をすべき時刻であることを知ることができ、録音のし忘れの防止となる。また録音開始や停止は手動で行われるため、実際の会議等の状況に応じた録音動作が実現できる。例えば会議の開始が遅れた場合、早めに終わった場合、延長した場合、休憩を挟んだ場合などに応じた録音が可能となる。
【００９０】
なお、図１６では開始時刻に到達したときにアラーム出力を行うものとしたが、開始時刻到達の少し前、例えば３分前などにアラーム音出力や、３分後に録音を開始する旨の表示などを実行し、ユーザに早めに注意を促しても良い。
また、ステップＦ４６２で録音操作を待機している間に、ユーザに対して注意を喚起するため、例えば定期的にアラーム出力を行うようにすることも考えられる。
また、この処理例５では、録音が実行されたまま終了時刻に達した場合は、そのまま録音が継続される。この場合、ユーザが録音停止操作を忘れている場合もあり得るため、録音実行中に終了時刻に達した場合は、アラーム音出力やメッセージ表示を行ない、ユーザに、録音を続けて良いか否かの注意を促すようにすることも考えられる。
【００９１】
＜処理例６＞
処理例６を図１７、図１８で説明する。
この処理例６は、特に録音開始や停止の自動化や、アラーム出力などは行わなず、通常と同様の録音動作を基本とする。即ちユーザの手動操作に応じて録音の開始や停止が行われるものとする。
但し録音が行われた際には、スケジュール情報を参照して、もしその録音実行の時間帯に対応して或る予定項目が存在すれば、そのテキストデータを利用してファイル名を設定するものである。
【００９２】
図１７において開始時刻、終了時刻として、スケジュール情報内の或る予定項目の開始時刻、終了時刻を示している。
例えば（６−１）は、開始時刻から終了時刻に至る期間内に、ユーザが録音開始／停止を行ってファイルを記憶させた場合である。
また（６−２）は、開始時刻から終了時刻に至る期間内に、ユーザが録音開始操作を行った録音を開始させたが、終了時刻以後に停止操作を行って録音を終了させた場合である。
（６−３）は開始時刻から終了時刻に至る期間以外の時間帯に録音が行われた場合である。
ここで、例えば（６−１）（６−２）のように、開始時刻から終了時刻に至る期間内に録音が開始された場合に、自動的にファイル名として、当該予定項目のテキストデータを利用した設定を行う。
【００９３】
図１８にＣＰＵ２の処理例を示す。
ＣＰＵ２はステップＦ４８０でユーザの録音操作を検知することで、ステップＦ４８１に進み、時計部３で計数されている現在の日時と、スケジュール情報を確認する。
ここで現在の日時が、スケジュール情報内の或る予定項目の開始時刻から終了時刻の時間範囲内に該当していた場合は、ステップＦ４８２からＦ４８３に進み、その該当した予定項目のテキストデータを用いてファイル名を自動設定する。もし該当する予定項目が存在しなければ、ステップＦ４８３の処理は行わない。
そしてＣＰＵ２はステップＦ４８４で録音開始制御を行う。録音開始後は、ＣＰＵ２はステップＦ４８５でユーザの停止操作を監視し、停止操作が行われたことに応じてステップＦ４８６で録音停止及びファイル形成処理の制御を行う。
ステップＦ４８３の処理が行われていた場合、即ち図１７の（６−１）（６−２）のような場合は、記憶されたファイルは、そのファイル名として予定項目のテキストデータから生成されたファイル名が与えられるようにする。
ステップＦ４８３の処理が行われていない場合は、即ち図１７の（６−３）のような場合は、通常のファイル名、例えば連続ファイルナンバに録音開始時刻を付加したようなファイル名を設定する。
【００９４】
このような処理によっては、ユーザは任意に録音の開始／停止を行うが、開始時刻が或る予定項目の時間範囲に該当していた場合は、自動的にファイル名が、その予定項目のテキストデータに基づいて生成されるため、後にわざわざユーザが分かり易いファイル名を手動操作で書き込む必要はない。
【００９５】
なお、この例では、録音開始時点を基準にして、該当の予定項目の有無を判別し、ファイル名自動設定を行うようにしたが、他の例も考えられる。
例えば録音終了時点を基準にして、該当の予定項目の有無を判別し、ファイル名自動設定を行うようにしてもよい。図１７の（６−４）は、開始時刻より前に録音が開始され、開始時刻から終了時刻の期間内に録音が終了された例であるが、録音終了時点を基準にすれば、このような場合も、該当の予定項目が存在するとされて、そのテキストデータを利用したファイル名自動設定が行われるようになる。
また、図１７の（６−５）のように、録音した時間帯が開始時刻から終了時刻の期間を含むような場合に、該当する予定項目が存在するとして、そのテキストデータを利用したファイル名自動設定が行われるようにしてもよい。例えば録音の開始時刻／終了時刻を、スケジュール情報の各予定項目の開始時刻／終了時刻と比較検査して、該当の予定項目の有無を判定することで、このような処理も可能となる。
【００９６】
［６．予定管理アプリケーションでのファイル添付］
音声記憶再生装置１での録音動作でデータ記憶装置部５に記憶させたファイルは、図５，図６のような処理でＰＣ２００に転送できることを先に述べた。
ここで、ＰＣ２００（スケジューラ）側の処理として図５のステップＦ２０５、又は図６のステップＦ２５８で、転送されてきたファイルをスケジュール情報に関連付けるようにしている。
これは、スケジューラ側で、ＰＣ２００内に取り込んだファイルのファイル名と、スケジュール情報を比較して、或る予定項目に対応するファイルを関連付ける処理である。
例えば図４には、４月２日の３時〜４時半まで「資材・コストミーティング・・・」という予定項目が設定されている。
この予定項目を含むスケジュール情報を音声記憶再生装置１に取り込ませた場合、上記処理例１〜６によって、４月２日の３時〜４時半に録音されたファイルには「資材・コストミーティング」という文字を含むファイル名が自動設定されることになる。
そこで、ＰＣ２００のＣＰＵ２１１は、図５のステップＦ２０５、又は図６のステップＦ２５８で、転送されてきたファイルのファイル名を基準にして、スケジュール情報の各予定項目との対応を判定し、対応が得られた場合は、その予定項目と当該ファイルを関連付けるようにする。
すると、例えば図４のような画面上で、ユーザがある予定項目を指定して音声再生を指示する操作を行うと、その関連付けられたファイルが自動的に選択されて再生されるというような処理を実現できるものとなる。
このような音声記憶再生装置１とスケジューラの連係動作により、ユーザの利便性を高めることができる。
【００９７】
［７．実施の形態の効果及び変形例］
以上説明してきた実施の形態の音声記憶再生装置１では、ユーザが面倒な操作を行うことなく、ユーザにとって好適な動作が実行される。
即ちＰＣ２００（スケジューラ）側からスケジュール情報を取り込んでおけば、例えば、予定項目の開始時刻に、自動的に録音が開始されたり、或いはアラーム出力が行われることで、録音のし忘れを防止できる。
また自動録音を行う場合でも、録音の開始、停止、再開等を手動操作により可能とすることで、実際の状況に対応した録音を実行できる。
また予定項目の終了時刻において自動停止を行ったり、アラーム出力を行うことで、いわゆる止め忘れも防止できる。
また、これらのことは、音声記憶再生装置１において面倒なタイマー録音設定操作やアラーム設定などを行わなくてもよいということにもなる。
【００９８】
また、録音されるファイルに対して、自動的にスケジュール情報内のテキストデータを利用したファイル名設定が行われることで、後にユーザにとって録音内容が分かり易いものとすることができ、再生の際に非常に便利なものとなる。
また、録音の際に適切な感度設定が自動的に実行されることで、録音実行時にユーザが意識して操作を行わなくとも適切な感度での録音が実現される。
また、スケジュール情報に基づく表示を行うことで、ユーザは音声記憶再生装置１を用いて手軽に自分の予定を確認できる。
【００９９】
本発明は上記実施の形態として説明した以外にも、各種の変形例が考えられる。
上述した処理例１〜６は、それぞれ個別に実装してもよいが、これらを組み合わせた処理例も考えられる。
また各種処理例を、ユーザがモード選択によって任意に選択できるようにしてもよい。  
【０１００】
アラーム出力としては、電子音やメッセージ音声等の出力に限られない。例えばバイブレータを搭載し、振動によってユーザに開始時刻や終了時刻を通知するようにしてもよい。また表示部１２によるメッセージ表示、ＬＥＤ等を用いた発光、点滅とうによる通知などをおこなうようにしてもよい。さらには、これら音声、表示、発光等を組み合わせて実行してもよい。
【０１０１】
上記処理例１〜６のような処理の対象とするスケジュール情報の予定項目の選定については各種考えら得る。
例えば図７のスケジュール情報では、予定項目＃２，＃４については、開始時刻のみが設定されている。このような予定項目は、録音動作に関係しないものとし、処理例１〜６のような処理の適用対象外としてもよい。即ち、開始時刻／終了時刻が設定された予定項目のみを抽出して、処理例１〜６のような処理の対象としてもよい。
また、スケジューラ側で予定項目を入力する際に、ユーザが音声記憶再生装置１での録音を想定する予定については、特別な文字を付加してもよい。例えば「録音」という文字を予定項目のテキストデータに含めるようにする。音声記憶再生装置１では、「録音」という文字が含まれた予定項目を、処理例１〜６のような処理の対象として抽出するようにしてもよい。
またテキストデータではなく、録音対象であることを示すフラグデータを各予定項目に設定できるようにし、音声記憶再生装置１は、そのフラグデータの有無によって、録音処理に関連する予定項目であるか否かを判定するようにしても良い。
また、図７の予定項目＃２，＃４のように開始時刻のみが設定されている場合は、アラーム出力のみの対象とし、その開始時刻もしくは開始時刻の所定時間前などに、アラーム出力を行うようにする処理例も考えられる。
【０１０２】
マイク感度の設定に関しては、予定項目のテキストデータ内で、特定の文字を判定して行うものとしたが、例えば場所の情報などを抽出してマイク感度設定してもよい。図７の予定項目＃１には、そのテキストデータ内に「大会議室」という文字列がある。また予定項目＃３には「３Ｆ小会議室」という文字列がある。これらの文字列から録音場所の広狭を推定する。つまり「大会議室」など、広い部屋であることが推定される文字列が存在する場合は、マイク感度をハイレベルとし、「小会議室」など、狭い部屋であることが推定される文字列が存在する場合は、マイク感度をローレベルとするなどの処理も可能である。
また、スケジューラで予定項目を入力する際に、マイク感度設定入力も可能と、マイク感度の情報を予定項目に付加するようにすれば、音声記憶再生装置１は、その情報に応じて正確にマイク感度設定が可能となる。
【０１０３】
また、本発明の音声記憶装置としては、音声及び映像を記憶媒体に記憶する音声映像記憶装置も含まれる。例えばビデオカメラなどとしての機器において、スケジュール情報を取り込み、スケジュール情報における日時データと現在日時との関係に基づいて、入力される音声データ及び映像データの記憶動作に関する処理を行うようにすることも想定される。例えば処理例１〜６のように、開始時刻での音声データ及び映像データの自動録音録画の開始、終了時刻での自動録音録画の停止、開始時刻／終了時刻でのアラーム出力、スケジュール情報を用いた音声映像ファイル名の自動設定などが実行できる。
【０１０４】
さらには、映像データのみを記憶する映像記憶装置や、その他各種のデータを記憶する記憶装置にも、本発明を適用することもできる。
即ち、情報を記憶する記憶部と、外部機器との間で情報通信を行う情報通信部と、データを入力する入力部と、現在日時を計数する時計部と、制御部とを設ける。
制御部は日時データと予定内容データを有する予定項目情報を含むスケジュール情報を、上記情報通信部による外部機器との通信によって受信し、上記記憶部に記憶する処理を行う。さらに制御部は、上記記憶部に記憶されたスケジュール情報における日時データと上記時計部で計数される現在日時との関係に基づいて、上記入力部から入力されるデータについての上記記憶部への記憶動作に関する処理を行う。
このような記憶装置を構成することにより、音声データに限らず、各種データの記憶する装置として本発明を適用できる。
【図面の簡単な説明】
【０１０５】
【図１】本発明の実施の形態の音声記憶再生装置のブロック図である。
【図２】実施の形態の音声記憶再生装置とＰＣの接続の説明図である。
【図３】ＰＣのブロック図である。
【図４】ＰＣで起動されるスケジューラによる画面例の説明図である。
【図５】実施の形態の音声記憶再生装置とＰＣの間のデータ転送処理のフローチャートである。
【図６】実施の形態の音声記憶再生装置とＰＣの間の他のデータ転送処理のフローチャートである。
【図７】実施の形態のスケジュール情報の説明図である。
【図８】実施の形態の音声記憶再生装置のスケジュール表示処理のフローチャートである。
【図９】実施の形態の音声記憶再生装置の表示例の説明図である。
【図１０】実施の形態の処理例１〜３の説明図である。
【図１１】実施の形態の処理例１のフローチャートである。
【図１２】実施の形態の処理例２のフローチャートである。
【図１３】実施の形態の処理例３のフローチャートである。
【図１４】実施の形態の処理例４，５の説明図である。
【図１５】実施の形態の処理例４のフローチャートである。
【図１６】実施の形態の処理例５のフローチャートである。
【図１７】実施の形態の処理例６の説明図である。
【図１８】実施の形態の処理例６のフローチャートである。
【符号の説明】
【０１０６】
１  音声記憶再生装置、２  ＣＰＵ、３  操作部、４  ＲＡＭ、５  データ記憶装置部、６  ファイル処理部、７  Ａ／Ｄ変換器、８  マイクロホン、９  Ｄ／Ａ変換器、１０  スピーカ、１１  表示制御部、１２  表示部、１３  時計部、１４  ＲＯＭ、１５  外部インターフェース部、１６  マイクアンプ、１７  スピーカアンプ、１８  バス
【図１】
2009266283.tif 000003
【図２】
2009266283.tif 000004
【図３】
2009266283.tif 000005
【図４】
2009266283.tif 000006
【図５】
2009266283.tif 000007
【図６】
2009266283.tif 000008
【図７】
2009266283.tif 000009
【図８】
2009266283.tif 000010
【図９】
2009266283.tif 000011
【図１０】
2009266283.tif 000012
【図１１】
2009266283.tif 000013
【図１２】
2009266283.tif 000014
【図１３】
2009266283.tif 000015
【図１４】
2009266283.tif 000016
【図１５】
2009266283.tif 000017
【図１６】
2009266283.tif 000018
【図１７】
2009266283.tif 000019
【図１８】
2009266283.tif 000020